(57)【要約】【課題】支持筒への脚片の収容が片手で容易に操作でき、しかも支持筒から脚片を緩やかな速度で安全に進出させて開くようにする。【解決手段】支持筒(２)内に設けた昇降部材(７)の下部に複数の脚片(６)を連係する。脚片(６)を、昇降部材(７)の上昇により支持筒(２)内に収容された閉じ姿勢(Ｙ)と、昇降部材(７)の下降により支持筒(２)から進出して放射状に広がった開き姿勢とに切り換える。支持筒(２)内に回転部材(10)と電動モータ(11)と電源部(12)とを備える。把持部(３)に切換スイッチ(５)を設け、切換スイッチ(５)の操作で電動モータ(11)を正逆回転させる。回転部材(10)に螺旋状ガイド部(17)を設け、昇降部材(７)に設けた係合部(16)を係合する。支持筒(２)内に昇降ガイド(19)を固定し、昇降移動は許容するが回転は阻止する状態に昇降部材(７)を係合させる。【選択図】  図２
2008119414.tif 000002
【特許請求の範囲】
【請求項１】
上下方向に長い支持筒(２)と、この支持筒(２)の上端に付設した把持部(３)と、支持筒(２)内を上下移動可能な昇降部材(７)と、この昇降部材(７)の下部に連係された複数の脚片(６)とを備え、
上記の脚片(６)は、昇降部材(７)の上昇により支持筒(２)内に収容された閉じ姿勢(Ｙ)と、昇降部材(７)の下降により支持筒(２)から進出して放射状に広がった開き姿勢(Ｘ)とに切換えられるステッキであって、
上記の支持筒(２)内には、上下方向に長い回転部材(10)と、この回転部材(10)を支持筒(２)の軸心(2a)回りに回動させる電動モータ(11)と、この電動モータ(11)を駆動する電源部(12)とを備え、
上記の把持部(３)に切換スイッチ(５)を設け、この切換スイッチ(５)の操作により上記の電源部(12)を電動モータ(11)に電気的に接続して、この電動モータ(11)を正逆回転可能に構成し、
上記の回転部材(10)は上記の軸心(2a)回りに螺旋状ガイド部(17)を備えるとともに、この螺旋状ガイド部(17)に係合する係合部(16)を上記の昇降部材(７)に設け、
上記の支持筒(２)内に昇降ガイド(19)を固定して、この昇降ガイド(19)に上記の昇降部材(７)を、昇降移動は許容するが軸心(2a)周りの回転は阻止する状態に係合させたことを特徴とする、自立可能なステッキ。
【請求項２】
上記の回転部材(10)が螺旋状線条体からなり、この螺旋状線条体(10)のコイルピッチ間に形成された隙間で上記の螺旋状ガイド部(17)を構成した、請求項１に記載の自立可能なステッキ。
【発明の詳細な説明】
【技術分野】
【０００１】
本発明は、下端部に脚片を有して不使用時に床面へ自立できるステッキに関し、さらに詳しくは、支持筒への脚片の収容が片手で容易に操作でき、しかも支持筒から脚片を緩やかな速度で安全に進出させて開くことができる、自立可能なステッキに関する。
【背景技術】
【０００２】
従来、支持筒の下端部で複数の脚片を放射状に開いて、不使用時に自立させるステッキとしては、把持部に設けた操作部を操作することで、支持筒の下端から複数の脚片を出退させて開閉させるものがある(例えば、特許文献１参照。)。
【０００３】
即ちこの従来技術は、上下方向に長い支持筒と、支持筒の上端に付設した把持部と、支持筒内を上下移動可能な昇降部材と、昇降部材の下部に連係された複数の脚片とを備え、この脚片は、昇降部材の上昇により支持筒内に収容された閉じ姿勢と、昇降部材の下降により支持筒から進出した開き姿勢とに切換えできるようにしてある。上記の支持筒内には昇降部材を下方へ弾圧するリリースバネが付設してある。また上記の把持部には、昇降部材を係止して上昇した位置に保持するロック機構と、このロック機構による係止を解除する操作手段と、上記の昇降部材をワイヤを介して上方へ持ち上げるストラップとが付設してある。このストラップは把持部から引き出しでき、リターンバネにより把持部内へ引き戻しできるように構成してある。
【０００４】
上記のステッキを通常の状態で使用する場合、上記の昇降部材はロック機構に係止されて上昇位置に保持され、この昇降部材の下端に連係した上記の脚片は支持筒内に収容された閉じ姿勢に切換えられている。このステッキを床面に自立させる場合は、上記の操作手段でロック機構による係止を解除する。これにより昇降部材はリリースバネの弾圧力で下降し、上記の脚片が支持筒から進出して放射状に広がった開き姿勢に切換えられる。この自立できる状態のステッキを歩行等に使用する場合、上記のストラップを把持部から引き出す。これにより昇降部材がワイヤを介して持ち上げられてロック機構に係止され、上昇位置に保持されるとともに、脚片が閉じられて支持筒内に収容される。その後、ストラップの引っ張りを緩めると、リターンバネの弾圧力で把持部内に引き戻される。
【０００５】
【特許文献１】特開２００５−１３０９６６号公報
【発明の開示】
【発明が解決しようとする課題】
【０００６】
上記の従来技術では、ステッキを通常の使用状態に戻すため、ストラップを把持部から引き出すことで、自立用の脚片が支持筒内に収容される。このときそのストラップは、例えば１０ｃｍ以上と長く引き出す必要があり、一方の手で把持部を支持しながら他方の手でストラップを引き出さなければならない。このため、この閉じ操作を片手のみでは操作することができず、片手の不自由な人にとっては容易に使用できない問題があった。
また、上記従来のステッキは、上記の操作手段を操作してロック機構の係止を解除すると、昇降部材がリリースバネの弾圧力で下降することから、上記の脚片が支持筒の下端から急速に進出し、他物へ不用意に衝突して脚片などを破損する虞があった。
【０００７】
本発明の技術的課題はこれらの問題点を解消し、支持筒への脚片の収容が片手で容易に操作でき、しかも支持筒から脚片を緩やかな速度で安全に進出させて開くことができる、自立可能なステッキを提供することにある。
【課題を解決するための手段】
【０００８】
本発明は上記の課題を解決するため、例えば本発明の実施の形態を示す図１から図４に基づいて説明すると、次のように構成したものである。
すなわち本発明は自立可能なステッキに関し、上下方向に長い支持筒(２)と、この支持筒(２)の上端に付設した把持部(３)と、支持筒(２)内を上下移動可能な昇降部材(７)と、この昇降部材(７)の下部に連係された複数の脚片(６)とを備え、上記の脚片(６)は、昇降部材(７)の上昇により支持筒(２)内に収容された閉じ姿勢(Ｙ)と、昇降部材(７)の下降により支持筒(２)から進出して放射状に広がった開き姿勢(Ｘ)とに切換えられるステッキであって、上記の支持筒(２)内には、上下方向に長い回転部材(10)と、この回転部材(10)を支持筒(２)の軸心(2a)回りに回動させる電動モータ(11)と、この電動モータ(11)を駆動する電源部(12)とを備え、上記の把持部(３)に切換スイッチ(５)を設け、この切換スイッチ(５)の操作により上記の電源部(12)を電動モータ(11)に電気的に接続して、この電動モータ(11)を正逆回転可能に構成し、上記の回転部材(10)は上記の軸心(2a)回りに螺旋状ガイド部(17)を備えるとともに、この螺旋状ガイド部(17)に係合する係合部(16)を上記の昇降部材(７)に設け、上記の支持筒(２)内に昇降ガイド(19)を固定して、この昇降ガイド(19)に上記の昇降部材(７)を、昇降移動は許容するが軸心(2a)周りの回転は阻止する状態に係合させたことを特徴とする。
【０００９】
上記の切換スイッチを操作すると、電動モータが駆動されて上記の回転部材が支持筒の軸心回りに回転する。昇降部材は、係合部がこの回転部材に設けた螺旋状ガイド部に係合しているので、回転部材とともに回転しようとする。しかし、この昇降部材は昇降ガイドにも係合しているため回転することができず、この結果、上記の係合部は螺旋状ガイド部に沿って上下方向に移動し、これにより昇降部材が支持筒内を昇降する。
【００１０】
具体的には、切換スイッチを操作して例えば電動モータを正転させると、螺旋状ガイド部の螺旋方向に応じて昇降部材が下降し、昇降部材の下端に連結した脚片は支持筒から進出して放射状に広がった開き姿勢に切り換わる。逆に、電動モータを逆転させると昇降部材が上昇し、上記の脚片は支持筒内に収容された閉じ姿勢に切り換わる。そして電動モータを停止すると、昇降部材は螺旋状ガイド部と昇降ガイドとに支持されてその位置で上下移動が停止し、脚片は開き姿勢あるいは閉じ姿勢に保持される。
【００１１】
上記の回転部材は螺旋状ガイド部を備えておればよく、特定の構造に限定されないが、例えばこの回転部材を螺旋状線条体で構成すると、この螺旋状線条体のコイルピッチ間に形成された隙間で上記の螺旋状ガイド部を構成することができ、回転部材を軽量にできるうえ、螺旋状ガイド部を簡単に形成でき安価に実施できるので好ましい。
【発明の効果】
【００１２】
本発明は上記のように構成され作用することから、次の効果を奏する。
【００１３】
(１)切換スイッチを操作することで、電動モータを駆動して昇降部材を上下させることから、前記の従来技術と異なって、脚片を支持筒内へ収容する場合も片手で簡単に操作することができ、片手の不自由な人であっても、容易に使用することができる。
【００１４】
(２)昇降部材は、電動モータの回転速度と螺旋状ガイド部の螺旋ピッチに応じた速度で支持筒内を上下移動する。このため、この昇降部材の課端部に連係した脚片は、任意の緩やかな速度で支持筒から安全に進出させることができ、他物との不用意な衝突による脚片の破損等を防止することができる。
【発明を実施するための最良の形態】
【００１５】
以下、本発明の実施の形態を図面に基づき説明する。
図１から図４は本発明の実施形態を示し、図１(ａ)は脚片を閉じ姿勢に切換えたステッキの斜視図、図１(ｂ)は脚片を開き姿勢に切換えたステッキの斜視図、図２は脚片を閉じ姿勢に切換えたステッキの、一部を省略した断面図、図３は図２のＡ−Ａ線矢視断面図、図４は脚片を開き姿勢に切換えたステッキの、一部を省略した断面図である。
【００１６】
図１(ａ)に示すように、このステッキ(１)は上下方向に長い支持筒(２)と、この支持筒(２)の上端に付設した把持部(３)と、支持筒(２)の下端に付設した石突き(４)とを備え、把持部(３)の一端に切換スイッチ(５)が設けてある。この切換スイッチ(５)は、第１位置と中立位置と第２位置とに切換えできるようにしてある。
【００１７】
上記の石突き(４)の下面は開口してあり、上記の切換スイッチ(５)を操作することで、図１(ｂ)に示すように、上記の支持筒(２)内に収容されていた複数の脚片(６)が上記の石突き(４)の下面開口から進出して放射状に広がり、開き姿勢(Ｘ)に切換えられる。この状態で、ステッキ(１)は脚片(６)に支持されて床面などの上に自立することができる。
【００１８】
次に、上記のステッキの内部構造について説明する。
図２に示すように、上記の支持筒(２)内に、上下移動可能な棒状の昇降部材(７)が備えてあり、この昇降部材(７)の下部に上記の複数の脚片(６)が連係してある。この脚片(６)は昇降部材(７)の下部に外嵌した開閉操作部(８)にも連係してあり、この開閉操作部(８)は昇降部材(７)との間に配置した付勢バネ(９)で下方へ弾圧してある。
【００１９】
上記の支持筒(２)内には上記の昇降部材(７)の上方に、上下方向に長い回転部材としての螺旋状線条体(10)と、電動モータ(11)と、電源部としての乾電池(12)を収容した電池ケース(13)とが配置してある。上記の螺旋状線条体(10)は、電動モータ(11)の出力軸に固定されたカラー(14)に上端が外嵌固定してあり、この電動モータ(11)の駆動で支持筒(２)の軸心(2a)回りを回転する。上記の乾電池(12)は、前記の切換スイッチ(５)を介して上記の電動モータ(11)に電気的に接続してあり、この切換スイッチ(５)の第１位置と第２位置との切換え操作により、上記の電動モータ(11)が正転と逆転とに切換え駆動される。
【００２０】
上記の把持部(３)は支持筒(２)の上端に着脱可能であり、この把持部(３)を取外して電池ケース(13)の蓋部(15)を開くことにより、上記の乾電池(12)が交換される。なお本発明では、把持部(３)等に開閉蓋を設けてこれを開閉することにより乾電池を交換できるように構成しても良い。また充電式の電池を電源部とし、充電用プラグを接続できるように構成しても良い。
【００２１】
上記の昇降部材(７)の上端近傍には係合ピン(16)が突設してある。上記の螺旋状線条体(10)のコイルピッチ間に形成された隙間は、螺旋状ガイド部(17)を構成しており、上記の係合ピン(16)がこの螺旋状ガイド部(17)に係合してある。
また、上記の昇降部材(７)には、前記の開閉操作部(８)よりも上方に円盤状のガイド板(18)が固定してる。一方、このガイド板(18)の近傍には上下に長い棒状の昇降ガイド(19)が支持筒(２)の内面に固定してある。図３に示すように、上記のガイド板(18)には嵌合溝(20)が凹設してあり、この嵌合溝(20)に上記の昇降ガイド(19)が嵌合してある。
【００２２】
次に、上記のステッキの作動について説明する。
上記のステッキ(１)は、通常の使用状態にあっては上記の切換スイッチ(５)が中立位置に切換えられており、図１(ａ)と図２に示すように、上記の昇降部材(７)が上昇した位置に保持され、この昇降部材(７)の下部に連係された脚片(６)は、閉じ姿勢(Ｙ)に切換えられて支持筒(２)内に収容されている。
【００２３】
この状態で前記の切換スイッチ(５)を第１位置に切換えると、上記の電動モータ(11)が正転駆動され、螺旋状線条体(10)が軸心(2a)周りに回転する。この螺旋状線条体(10)の螺旋状ガイド部(17)には、上記の係合ピン(16)が係合しているので、螺旋状線条体(10)の回転とともに、上記の昇降部材(７)が回転しようとする。しかしこの昇降部材(７)は、ガイド板(18)の嵌合溝(20)が上記の昇降ガイド(19)に嵌合しているため回転できないので、昇降ガイド(19)に案内されて軸心(2a)方向に下降する。
【００２４】
上記の昇降部材(７)が下降すると、上記の脚片(６)は石突き(４)下端の開口(4a)から支持筒(２)の下方へ進出していく。一方、昇降部材(７)の下部に外嵌した前記の開閉操作部(８)は、石突き(４)の内面に形成した受止部(4b)に受け止められると、付勢バネ(９)の弾圧力に抗してその位置で下降が停止する。これにより、この開閉操作部(８)と上記の昇降部材(７)とに連係した上記の脚片(６)は、図１(ｂ)や図４に示す開き姿勢(Ｘ)に切り換わる。この状態で上記の切換スイッチ(５)を中立位置に切り換えると、電動モータ(11)による螺旋状線条体(10)の回転が停止し、昇降部材(７)が下降した位置に保持される。この結果、ステッキ(１)は広がった脚片(６)で支持され床面上などに自立される。
【００２５】
上記のステッキ(１)を歩行などに使用する場合は、上記の切換スイッチ(５)を第２位置に切換える。これにより、上記の電動モータ(11)が逆転駆動され、螺旋状線条体(10)が逆方向に回転するので、螺旋状ガイド部(17)に係合ピン(16)が係合した昇降部材(７)は、昇降ガイド(19)に案内されて上昇する。この昇降部材(７)が上昇すると、開閉操作部(８)は付勢バネ(９)で弾圧されているため、上記の脚片(６)は支持筒(２)の軸心(2a)方向に集束して閉じた状態となり、昇降部材(７)の上昇により、図２に示すように、支持筒(２)内に収容された閉じ姿勢(Ｙ)に切り換わる。この状態で上記の切換スイッチ(５)を中立位置に切り換えると、電動モータ(11)による螺旋状線条体(10)の回転が停止し、昇降部材(７)が上昇した位置に保持される。
【００２６】
上記の実施形態で説明した昇降部材や回転部材の形状や構造、電動モータや電源部、切換スイッチの配置などは、本発明の技術的思想を具体化するために例示したものであってこの実施形態のものに限定されるものではなく、本発明の特許請求の範囲内において種々の変更を加え得るものであることは、いうまでもない。
【００２７】
例えば、上記の実施形態では脚片を開閉させるために開閉操作部を設けたが、本発明では脚片が支持筒から進出すると開き、支持筒内へ収容されるときに閉じるように構成してあればよく、例えば昇降部材と脚片の上端部とを付勢バネ等で直接連係したものであってもよい。
また、上記の電動モータは特定の種類に限定されず、脚片が適切な速度で支持筒から進出する回転速度に設定されるものであればよいが、必要に応じて変速機を付設することができ、さらには昇降部材が上昇位置や下降位置に達すると回転部材の回転を停止するリミットスイッチやクラッチ等を設けることも可能である。
【００２８】
また、上記の実施形態では回転部材を螺旋状線条体で構成したので、簡単に製作でき安価に実施できるが、本発明の回転部材は、例えば筒状に形成して内面に螺旋状ガイド部を溝状に凹設することも可能である。
また、上記の実施形態では昇降部材に１個の係合ピンを設けたが、本発明の昇降部材に設けた係合部はピンに限定されず、さらに複数の係合部を設けることも可能である。
また、上記の実施形態では、昇降部材に固定したガイド板の嵌合溝を昇降ガイドに嵌合したが、本発明では昇降部材にガイドピンを設けて溝状の昇降ガイドに嵌合してもよく、さらに上記の係合ピンをこの溝状の昇降ガイドに嵌合させることも可能である。
【産業上の利用可能性】
【００２９】
本発明のステッキは、支持筒への脚片の収容が片手で容易に操作でき、しかも支持筒から脚片を緩やかな速度で安全に進出させて開くことができるので、片手の不自由な人でも容易に使用できるステッキとして好適に用いられる。
【図面の簡単な説明】
【００３０】
【図１】本発明の実施形態を示し、図１(ａ)は脚片を閉じ姿勢に切換えたステッキの斜視図、図１(ｂ)は脚片を開き姿勢に切換えたステッキの斜視図である。
【図２】本発明の実施形態を示す、脚片を閉じ姿勢に切換えたステッキの、一部を省略した断面図である。
【図３】図２のＡ−Ａ線矢視断面図である。
【図４】本発明の実施形態を示す、脚片を開き姿勢に切換えたステッキの、一部を省略した断面図である。
【符号の説明】
【００３１】
１…ステッキ
２…支持筒
2a…支持筒(２)の軸心
３…把持部
５…切換スイッチ
６…脚片
７…昇降部材
10…回転部材(螺旋状線条体)
11…電動モータ
12…電源部(乾電池)
16…係合部(係合ピン)
17…螺旋状ガイド部
19…昇降ガイド
Ｘ…開き姿勢
Ｙ…閉じ姿勢
【図１】
2008119414.tif 000003
【図２】
2008119414.tif 000004
【図３】
2008119414.tif 000005
【図４】
2008119414.tif 000006